(57)【特許請求の範囲】
【請求項１】
起動用コンデンサー等の回路部品が、反回転軸側の端部に配設され、外周部に取付フランジを有するコンデンサ内蔵モーターであって、その回路部品とともに前記反回転軸側の端部を被冠し、前記取付フランジに対向するフランジを有する浅底容器状のカバーを設け、このカバーの前記フランジと前記取付フランジとの間にモーターの取付相手を挟み、その取付フランジ側からの前記カバーのフランジへのネジ締めにより取付相手に固定できるようにしたコンデンサ内蔵モーター。
【請求項２】
起動用コンデンサー等の回路部品が、反回転軸側の端部に配設され、外周部に取付フランジを有するアウターローター型のコンデンサ内蔵モーターであって、その回路部品とともに前記反回転軸側の端部を被冠し、前記取付フランジに対向するフランジを有する浅底容器状のカバーを設け、このカバーの前記フランジと前記取付フランジとの間にモーターの取付相手を挟み、その取付フランジ側からの前記カバーのフランジへのネジ締めにより取付相手に固定できるようにしたコンデンサ内蔵モーター。
【請求項３】
請求項１又は請求項２のいずれかに記載のコンデンサ内蔵モーターであって、カバーを鋼板の絞り成形物で構成したコンデンサ内蔵モーター。
【請求項４】
起動用コンデンサー等の回路部品が、反回転軸側の端部に配設され、外周部に取付フランジを有するコンデンサ内蔵モーターを本体枠内に回転軸側を向けて取付け、その回転軸に送風羽根を装着した送風装置であって、そのコンデンサ内蔵モーターの前記反回転軸側の端部を前記回路部品とともに被冠し、前記コンデンサ内蔵モーターの取付フランジに対向するフランジを有する浅底容器状のカバーを設け、このカバーの前記フランジと前記取付フランジとの間に前記本体枠を挟み、その取付フランジ側からの前記カバーのフランジへのネジ締めによりコンデンサ内蔵モーターを前記本体枠に固定した構成の送風装置。
【発明の詳細な説明】
【０００１】
【発明の属する技術分野】
本発明は、起動用コンデンサー等の回路部品が反回転軸側の端部に配設されたコンデンサ内蔵モーター及び、コンデンサ内蔵モーターで送風羽根を回転させて送風する送風装置に関するものである。
【０００２】
【従来の技術】
起動用コンデンサー等の回路部品が反回転軸側の端部に配設されたコンデンサ内蔵モーターとしては、例えば実開平６―７７４５８号公報や特公平６―９５８１６号公報に示されているようなものがある。前者は、固定子の外側で回転子が回転するアウターローター型と称されるものであり、図８に示すような構成である。後者は、固定子の内部で回転子が回転するインナーローター型と称されるものであり、図９に示すような構成である。アウターローター型のコンデンサ内蔵モーターでは、図８に示すように起動用コンデンサー３０等の回路部品は、固定子鉄心の積層方向の端部側に配設された回路基板に実装され、これらの外周りが回路基板の半田付けする側の半田付け面を残して絶縁樹脂３１で樹脂モールドされ、その絶縁樹脂３１により外周部に取付フランジ３２が一体成形されている。回路基板側の端部には、カバー３３が装着され回路部品とともに端部全体がカバー３３により被覆されている。インナーローター型のコンデンサ内蔵モーターでも、図９に示すように起動用コンデンサー３０等の回路部品は反回転軸側のモーターケース３４の端部に配設され、モーターケース３４の全体を覆うカバー３３により被覆されている。
【０００３】
こうしたコンデンサ内蔵モーターを使って、送風装置の送風羽根を回転させる場合、図８，９に示すような仕方でコンデンサ内蔵モーターが取付けられている。即ち、コンデンサ内蔵モーターの取付相手である送風装置の本体枠３５に形成された取付穴３６の外側の口縁を囲む、図１０に示すようなモーター固定部材３７を本体枠３５に配置し、コンデンサ内蔵モーターのカバー３３側を取付穴３６とモーター固定部材３７とに挿通させ、コンデンサ内蔵モーターの外周の取付フランジ３２側からモーター固定部材３７に数本のネジ３８をネジ締めてコンデンサ内蔵モーターを本体枠３５に取付けている。本体枠３５はプラスチックで形成されている場合が多く、取付穴３６の口縁の強度はあまり強くはないため、モーター固定部材３７はこれを補うために鋼板で構成されている。
【０００４】
【発明が解決しようとする課題】
上記した従来のコンデンサ内蔵モーターにおいては、その固定にモーター固定部材３７が必要になることが多く、送風装置等に用いた場合、部品点数が多くなり組立ても面倒になるうえコストも嵩むといった問題点があった。また、モーター固定部材３７に曲げ部分を形成する必要がある場合、モーター固定部材３７の加工が面倒になり、そのコストも一層高くなっていた。さらに、アウターローター型のコンデンサ内蔵モーターの場合、起動用コンデンサー３０等の回路部品に電気的に接続されているモーターリードがカバー３３に形成された取出口から外側に引き出されるため、取付穴３６を経て取出口から外部へ空気が漏れないようにモーターリードの保護とともに取出口にシール材等を装着する必要があり、部品点数の増大と、組立てに手間と時間がかかるといった問題点があった。
【０００５】
本発明は、上記した従来の問題点を解消するためになされたもので、その課題とするところは、別途に固定のための部材を必要としない組付けの容易なコンデンサ内蔵モーターを得ることであり、そのコンデンサ内蔵モーターを適用して、部品点数が少なく組立性の良い低コストの送風装置を開発することである。
【０００６】
【課題を解決するための手段】
前記課題を達成するために請求項１の発明は、起動用コンデンサー等の回路部品が、反回転軸側の端部に配設され、外周部に取付フランジを有するコンデンサ内蔵モーターについて、その回路部品とともに反回転軸側の端部を被冠し、取付フランジに対向するフランジを有する浅底容器状のカバーを設け、このカバーのフランジと取付フランジとの間にモーターの取付相手を挟み、その取付フランジ側からのカバーのフランジへのネジ締めにより取付相手に固定できるようにする手段を採用する。
【０００７】
前記課題を達成するために請求項２の発明は、起動用コンデンサー等の回路部品が、反回転軸側の端部に配設され、外周部に取付フランジを有するアウターローター型のコンデンサ内蔵モーターについて、その回路部品とともに反回転軸側の端部を被冠し、取付フランジに対向するフランジを有する浅底容器状のカバーを設け、このカバーのフランジと取付フランジとの間にモーターの取付相手を挟み、その取付フランジ側からのカバーのフランジへのネジ締めにより取付相手に固定できるようにする手段を採用する。
【０００８】
前記課題を達成するために請求項３の発明は、請求項１又は請求項２のいずれかに係る前記手段におけるカバーを、鋼板の絞り成形物で構成する手段を採用する。
【０００９】
前記課題を達成するために請求項４の発明は、起動用コンデンサー等の回路部品が、反回転軸側の端部に配設され、外周部に取付フランジを有するコンデンサ内蔵モーターを本体枠内に回転軸側を向けて取付け、その回転軸に送風羽根を装着した送風装置について、そのコンデンサ内蔵モーターの反回転軸側の端部を回路部品とともに被冠し、コンデンサ内蔵モーターの取付フランジに対向するフランジを有する浅底容器状のカバーを設け、このカバーのフランジと取付フランジとの間に本体枠を挟み、その取付フランジ側からのカバーのフランジへのネジ締めによりコンデンサ内蔵モーターを本体枠に固定する手段を採用する。
【００１６】
【発明の実施の形態】
次に本発明の実施の形態を図面に基づいて説明する。
実施の形態１．
図１〜図４によって示すこの実施の形態１は、アウターローター型のコンデンサ内蔵モーター（以降単にモーターと称する）に関するものである。このモーターの固定子１は、複数枚のリング状の鉄心の積層により構成された機能部品としての固定子鉄心と、この固定子鉄心の溝を介して巻装された巻線と、この巻線をモーターリード２に対して電気的に接続するための固定子鉄心の積層方向に離れて配設された回路基板とを有し、これらの外周りが回路基板の半田付けする側の半田付け面を残して絶縁樹脂で樹脂モールドされ、この部分に樹脂モールド回路基板３が構成されている。樹脂モールド回路基板３にはその外周に数個のネジ挿通孔４を有する取付フランジ５が一体成形により形成されている。
【００１７】
この固定子１の中心線上に回転軸６が軸受により回転可能に両持ち支持され、この回転軸６に回転ヨーク７が嵌合され、回転ヨーク７に一体化された回転子鉄心８が固定子鉄心に空隙を保持して対向して組付けられてモーターが構成される。樹脂モールド回路基板３は回転軸側とは反対側の端部に構成されていて、その引出口９から外部に延びるモーターリード２は、回路基板上に実装された起動用コンデンサー１０や温度ヒューズ等の回路部品を介して巻線に電気的に接続されている。
【００１８】
取付フランジ５より反回転軸側の樹脂モールド回路基板３は、図１，２，３に示すような浅底容器状のカバー１１により起動用コンデンサー１０等の回路部品とともに被冠されている。カバー１１の外周のフランジ１２は、取付フランジ５にほぼ整合する外径に形成され、取付フランジ５のネジ挿通孔４に対応する位置にはネジ孔１３が形成されている。カバー１１は、取付け強度の維持が容易な鋼板を絞り加工して構成され、通常においては樹脂モールド回路基板３の外周部に遊嵌状態に外嵌めされ、取付フランジ５のネジ挿通孔４からフランジ１２のネジ孔１３へ数本の取付ネジ１４によるネジ締めにより装着されている。この状態で起動用コンデンサー１０の表面とカバー１１の内面とは所定の絶縁距離が確保されている。樹脂モールド回路基板３のモーターリード２の引出口９はカバー１１の装着によりカバー１１の胴部１５により、当該部のモーターリード２とともに覆われている。
【００１９】
カバー１１は、図２に示すようにフランジ１２の外周に曲げ部１６を構成すれば十分な強度が得られるが、図１に示すように一段の絞りで強度は確保できるので材料の削減や加工が容易な図１に示すような単純な構成の方が実用的である。また、材料の削減については図３に示すようにフランジ１２の外周に直線状のカット部１７を数箇所設けることにより、一層推進することも可能である。このモーターの特徴は、カバー１１をモーターを取付相手１８に取付ける際にモーター固定部材として使用できることであり、モーターを固定するにたる強度を得べく鋼板により構成しているが、フランジ１２を厚肉にするなどして十分な強度が確保できればプラスチックで構成しても構わない。また、回路部品の中で突出するのは起動用コンデンサー１０であり、温度ヒューズ等は突出しないので、図４に示すように起動用コンデンサー１０に対応する部分を局部的に凸状に膨出１９させる構成を採ることにより、材料の節減効果をあげることができる。
【００２０】
このモーターの取付相手１８への取付けは、取付ネジ１４を外してカバー１１を取外してから行なう。まず、取外したカバー１１を取付相手１８の取付部２０に開けられた取付穴２１の片側の口縁にそのフランジ１２が沿うように配置し、モーターの本体側を樹脂モールド回路基板３側から、取付穴２１へカバー１１とは反対側から取付フランジ５が取付穴２１の口縁に当るまで挿通する。この状態で樹脂モールド回路基板３は、カバー１１内に収まっている。そして、取付フランジ５の各ネジ挿通孔４とフランジ１２の各ネジ孔１３とを整合させ、取付ネジ１４をネジ挿通孔４側からネジ孔１３にネジ締め、取付相手１８の取付部２０を取付フランジ５とフランジ１２とにより挟み付けることにより完了する。このようにこのモーターは、カバー１１がモーターの外殻機能とモーター固定部材の固定機能を果たすため、別途に固定のための部材を必要とせず、部品点数の削減を推進できるうえ組付けも容易なものとなる。なお、取付相手１８に直接モーター及びカバー１１を取付けてモーターアッセンブリーとすれば、前記のような分組、再組立を省略することができ、また、カバー１１の絞り深さも取付相手１８の厚みの分だけ浅くすることができ、組立工程の短縮と部品材料の使用量を少なくできる。
【００２１】
実施の形態２．
図５によって示すこの実施の形態２も実施の形態１と同様にモーターに関するものである。この実施の形態２はモーターがインナーローター型であることを除けば実施の形態１のものと同じである。従って、実施の形態１と同じ部分については実施の形態１と同一の符号を用い、それらについての説明は省略する。
【００２２】
実施の形態１で示したモーターは、回転軸６を支持する軸受が固定子１内に収納されるため、図５に示すようなモーターケース２２とモーターブラケット２３によって軸受を保持するインナーローター型のモーターより軸方向の寸法を小さくでき、小型に構成できる。従って、そのカバー１１も絞り加工の容易な浅底容器形状とすることができるが、図５に示すようにインナーローター型のモーターについても、カバー１１が深底容器形状となるだけで、実施の形態１のものと同様の構成を適用することができる。但し、カバー１１を鋼板で構成する場合、加工のやや面倒な深絞りとなり、材料も多く必要になる。これ以外の構成及び機能並びに利点は実施の形態１のものと同じである。
【００２３】
実施の形態３．
図６，７によって示すこの実施の形態３は、実施の形態１で示したモーターを送風装置に適用したもので、モーターに関しては実施形態１で示したものと同じである。従って、実施の形態１で示した部分については実施の形態１と同一の符号を用い、それらについての説明は省略する。
【００２４】
図６に示す送風装置は、天井裏等に取付けられ天井面側から室内の空気を吸込み、ダクト２４を経て室外へ排気して、室内の換気を実施するものである。下面の開放した箱形の本体枠２５内にモーター２６により回転する送風羽根２７が組込まれている。モーター２６は、本体枠２５の天面の取付部２０に回転軸６を下に向けて取付けられている。この回転軸６に送風羽根２７が装着され、モーター２６によって回転することにより下方の吸込口２８から本体枠２５の側部に装着されたダクト接続口２９へ向う空気流を形成する。取付部２０は凸状に外方に膨出した構成で、その突部端に取付穴２１が形成されている。モーター２６の取付部２０への取付けは、モーター２６の取付ネジ１４を外してカバー１１を取外してから行なう。まず、取外したカバー１１を取付部２０の外側から取付穴２１の口縁にそのフランジ１２が沿うように配置し、モーター２６の本体側を樹脂モールド回路基板３側から、本体枠２５内において取付穴２１へ取付フランジ５が取付穴２１の口縁に当るまで挿通する。この状態でモーター２６の樹脂モールド回路基板３は、カバー１１内に収まっている。そして、取付フランジ５の各ネジ挿通孔４とフランジ１２の各ネジ孔１３とを整合させ、取付ネジ１４をネジ挿通孔４側からネジ孔１３にネジ締め、取付部２０を取付フランジ５とフランジ１２とにより挟み付けることにより完了する。
【００２５】
このようにこの送風装置では、カバー１１がモーター２６の外殻機能とモーター固定部材の固定機能を果たすため、別途に固定のための部材を必要とせず、部品点数の削減を推進できるうえ組付けも容易なものとなる。また、モーターリード２の引出口９が、カバー１１によって外側から被覆されるので、空気漏れはなくこの部分にシール材等を装着する必要もなく、部品点数を大幅に削減でき、コストの低減を達成することができる。取付部２０の強度が低い場合には、実施の形態１において図２に示したような曲げ部１６を持つフランジ１２を備えたカバー１１にすることにより、曲げ部１６が凸状部分の外周部に外嵌合し取付部２０を補強することができる。カバー１１と起動用コンデンサー１０の表面との間には所定の空間が確保されているため、絶縁性能も良好であり、実施の形態１で示したモーターの利点を亨受することができる。
【００２６】
なお、実施の形態２で示したインナーローター型のモーターを使っても上記したような送風装置を構成することが可能である。また、図７に示すようなダクト２４内に装着してダクト２４内に空気流を形成するダクト用換気扇等の送風装置では、カバー１１のフランジ１２の外径を取付フランジ５の外径以下に構成することにより、フランジ１２が外方へ張り出さず、ダクト２４への取付け時にダクト２４に引っ掛かったり、邪魔になったりせず扱い易い送風装置となる。
【００２７】
【発明の効果】
以上実施の形態での説明からも明らかなように、請求項１の発明によれば別途に固定のための部材を必要としない組付けの容易なモーターが得られる。
【００２８】
請求項２の発明によれば別途に固定のための部材を必要としない組付けの容易なコンパクトなモーターが得られる。
【００２９】
請求項３の発明によれば、請求項１又は請求項２のいずれかに係る前記効果とともに取付け強度の維持が容易になる。
【００３０】
請求項４の発明によれば、部品点数が少なく組立性の良い低コストの送風装置が得られる。
【図面の簡単な説明】
【図１】  実施の形態１のモーターを示す側面図である。
【図２】  実施の形態１のモーターのカバーを示す斜視図である。
【図３】  実施の形態１のモーターの他のカバーを示す斜視図である。
【図４】  実施の形態１のモーターさらに他のカバーを示す断面図である。
【図５】  実施の形態２のモーターを示す側面図である。
【図６】  実施の形態３の送風装置を示す断面図である。
【図７】  実施の形態３の他の送風装置を示す断面図である。
【図８】  従来のモーターを示す側面図である。
【図９】  従来の他のモーターを示す側面図である。
【図１０】  図９のモーター固定部材を示す斜視図である。
【符号の説明】
１  固定子、  ２  モーターリード、  ３  樹脂モールド回路基板、  ４  ネジ挿通孔、  ５  取付フランジ、  ６  回転軸、  ９  引出口、  １０  起動用コンデンサー、  １１  カバー、  １２  フランジ、  １３  ネジ孔、  １４  取付ネジ、  １６  曲げ部、  １７  カット部、  １８  取付相手、  １９  膨出、  ２０  取付部、  ２１  取付穴、  ２５  本体枠、  ２６  モーター、  ２７  送風羽根。
【図１】
0004042211.tif 000002
【図２】
0004042211.tif 000003
【図３】
0004042211.tif 000004
【図４】
0004042211.tif 000005
【図５】
0004042211.tif 000006
【図６】
0004042211.tif 000007
【図７】
0004042211.tif 000008
【図８】
0004042211.tif 000009
【図９】
0004042211.tif 000010
【図１０】
0004042211.tif 000011